(57)【要約】【課題】着衣者が身体をひねったり頭部（首）を回したりしたときに、フードが着衣者の視界や動作の邪魔になることを確実に防止できるようにする。【解決手段】着衣者の身体を覆う身頃本体２と身頃本体２の上部に設けられて着衣者の頭部を覆うフード３とを有し、身頃本体２とフード３との間には着衣者の首回り方向に沿ってこれら身頃本体２とフード３との相対回転を可能にする回転ガイド部５設けられており、回転ガイド部５は、首回り方向に沿った円弧状カーブを保形するガイドレール２０と、ガイドレール２０に摺動自在で且つ離脱不能に係合されたスライダー２１とを有し、ガイドレール２０又はスライダー２１のうち一方が身頃本体２に設けられていると共に他方がフード３に設けられている。【選択図】図１
2018003201.tif 000002
【特許請求の範囲】
【請求項１】
着衣者の身体を覆う身頃本体とこの身頃本体の上部に設けられて着衣者の頭部を覆うフードとを有し、
前記身頃本体と前記フードとの間には着衣者の首回り方向に沿ってこれら身頃本体とフードとの相対回転を可能にする回転ガイド部が設けられており、
前記回転ガイド部は、
前記首回り方向に沿った円弧状カーブを保形するガイドレールと、
前記ガイドレールに摺動自在で且つ離脱不能に係合されたスライダーと、を有し、
前記ガイドレール又は前記スライダーのうち一方が前記身頃本体に設けられていると共に他方が前記フードに設けられている
ことを特徴とする回転フード付き衣類。
【請求項２】
前記フードには、フード内面を着衣者の頭部に対して立体的な当接状態にさせて当該頭部との相対回転を不能にする緊締部材が設けられていることを特徴とする請求項１記載の回転フード付き衣類。
【請求項３】
前記緊締部材は、前記フードにおいて着衣者の顔面側部位置から顔面前方へ延び出て顔面下部を覆うマスク形に形成されていることを特徴とする請求項２記載の回転フード付き衣類。
【請求項４】
前記回転ガイド部のガイドレールは、可撓性素材により帯状に形成されたレールベースと、このレールベースの帯長手方向に沿って多数の歯片が列状に並んで支持されることで形成された帯状歯列体とを有しており、
前記スライダーは、可撓性素材により帯状に形成されたスライダーベースと、このスライダーベースの帯長手方向に沿って多数の噛合片が列状に並んで支持されることで形成された帯状噛列体とを有しており、
前記スライダーの各噛合片は、前記ガイドレールの各歯片に対して歯列方向に噛合と離反を繰り返しながら移動自在に係合されている
ことを特徴とする請求項３記載の回転フード付き衣類。
【請求項５】
前記回転ガイド部は、前記身頃本体及び／又は前記フードに対してホック、ボタン、面ファスナー、線ファスナーのうちいずれか一つの着脱構造により着脱自在とされていることを特徴とする請求項１乃至請求項４のいずれか１項に記載の回転フード付き衣類。
【請求項６】
前記フードには、前記回転ガイド部を首回り方向に沿って上から覆うスカート部が下垂状に設けられていることを特徴とする請求項１乃至請求項５のいずれか１項に記載の回転フード付き衣類。
【発明の詳細な説明】
【技術分野】
【０００１】
本発明は、カッパやレインコート、ヤッケ、ポンチョ等の雨具をはじめとして、フード（着衣者の頭部を覆うもの）を備える種々様々な衣類において好適に採用可能な回転フード付き衣類に関する。
【背景技術】
【０００２】
従来、ゴルファー用のレインコートとして、コート本体（身頃）とフードとの上下間を、首まわり方向で豊富な伸縮性が発現されるように蛇腹状の折り畳み構造にした帯状体により、連結したものが知られている（特許文献１）。
ゴルファーがこのレインコートを着用してプレーすれば、帯状体が首回り方向で伸縮することによりコート本体とフードとの共回り（一体回転）を防ぐことができるものとされており、頭部を止めたまま身体をひねるような打球動作も無理なく行えるとされている。
【先行技術文献】
【特許文献】
【０００３】
【特許文献１】実開平７−９９２３号公報
【発明の概要】
【発明が解決しようとする課題】
【０００４】
特許文献１に記載されたレインコートでは、コート本体とフードとが共回りしないと説明されているものの、両者間が帯状体によって物理的に連結されているのだから、コート本体とフードとの間で共回りを確実に解消することは甚だ困難と言える。寧ろ、ゴルフの打球動作は俊敏で力強い身体のひねり動作を必要とし、しかもひねり回転のストロークも大きいのだから、帯状体による首回り方向の伸縮だけでは十分な追従ができないことは容易に予測できる。
【０００５】
結果として、フードがコート本体に連れて回転してしまうものと推測される。このように、特許文献１に記載されたレインコートでは、コート本体とフードとの共回りを確実に解消することはできないと言わざるを得ない。
本発明は、上記事情に鑑みてなされたものであって、着衣者が身体をひねったり頭部（首）を回したりしたときに、フードが着衣者の視界や動作の邪魔になることを確実に防止できるようにした回転フード付き衣類を提供することを目的とする。
【課題を解決するための手段】
【０００６】
前記目的を達成するために、本発明は次の手段を講じた。
即ち、本発明に係る回転フード付き衣類は、着衣者の身体を覆う身頃本体とこの身頃本体の上部に設けられて着衣者の頭部を覆うフードとを有し、前記身頃本体と前記フードとの間には着衣者の首回り方向に沿ってこれら身頃本体とフードとの相対回転を可能にする回転ガイド部が設けられており、前記回転ガイド部は、前記首回り方向に沿った円弧状カーブを保形するガイドレールと、前記ガイドレールに摺動自在で且つ離脱不能に係合されたスライダーと、を有し、前記ガイドレール又は前記スライダーのうち一方が前記身頃本体に設けられていると共に他方が前記フードに設けられていることを特徴とする。
【０００７】
前記フードには、フード内面を着衣者の頭部に対して立体的な当接状態にさせて当該頭部との相対回転を不能にする緊締部材が設けられたものとするのがよい。
前記緊締部材は、前記フードにおいて着衣者の顔面側部位置から顔面前方へ延び出て顔面下部を覆うマスク形に形成されたものとするのがよい。
前記回転ガイド部のガイドレールは、可撓性素材により帯状に形成されたレールベースと、このレールベースの帯長手方向に沿って多数の歯片が列状に並んで支持されることで形成された帯状歯列体とを有しており、前記スライダーは、可撓性素材により帯状に形成されたスライダーベースと、このスライダーベースの帯長手方向に沿って多数の噛合片が列状に並んで支持されることで形成された帯状噛列体とを有しており、前記スライダーの各噛合片は、前記ガイドレールの各歯片に対して歯列方向に噛合と離反を繰り返しながら移動自在に係合されているものとするのがよい。
【０００８】
前記回転ガイド部は、前記身頃本体及び／又は前記フードに対してホック、ボタン、面ファスナー、線ファスナーのうちいずれか一つの着脱構造により着脱自在とされたものとするのがよい。
前記フードには、前記回転ガイド部を首回り方向に沿って上から覆うスカート部が下垂状に設けられたものとするのが好適である。
【発明の効果】
【０００９】
本発明に係る回転フード付き衣類では、着衣者が身体をひねったり頭部（首）を回したりしたときに、フードが着衣者の視界や動作の邪魔になることを確実に防止できるようになっている。
【図面の簡単な説明】
【００１０】
【図１】本発明に係る回転フード付き衣類を示した側面図であって（ａ）は身頃本体とフードとの分離時であり（ｂ）は結合途中であり（ｃ）は結合後である。
【図２】本発明に係る回転フード付き衣類を示した背面図であってフードのスカート部をめくり上げて回転ガイド部を露出させた様子としてある。
【図３】本発明に係る回転フード付き衣類を示した背面図であってフードのスカート部を下ろした使用時の様子としてある。
【図４】フードの正面図である。
【図５】図１（ｂ）のＡ部拡大図である。
【図６】図２のＢ部拡大図である。
【図７】図６のＣ部拡大断面図である。
【発明を実施するための形態】
【００１１】
以下、本発明の実施の形態を、図面に基づき説明する。
図１乃至図７は、本発明に係る回転フード付き衣類１の第１実施形態を示している。図１（ａ）に示すように、この衣類１は身頃本体２とフード３とを有しており、これら身頃本体２とフード３との間に、この両者間を着衣者の首回り（体幹軸まわり）で相対回転自在にするための回転ガイド部５が設けられた構成である。
【００１２】
この回転ガイド部５を備える構成としているため、身頃本体２を静止したままフード３を回転させたり、これとは反対に、身頃本体２を回転させたときにもフード３を非回転の状態に維持させたりすることができる。
なお、図１（ａ）と図１（ｃ）との比較から明らかなように、本実施形態では身頃本体２に対してフード３を着脱できる構造（フード３の使用と非使用との選択ができる仕様）としてあるが、フード３を離脱不能な状態に結合した構造とすることもできる。
【００１３】
以下、各部について詳説する。
身頃本体２は、着衣者の身体（頭部を除く）のうち、少なくとも左右の両肩を含む上半身を覆う構造を有したものとされている。この身頃本体２を着用することで、風雨や雪、寒さなどから身体を保護できるようなものとすればよい。
なお、この身頃本体２における具体的な生地素材や生地片組成、生地片結合方法などは何ら限定されるものではない。例えば、生地素材には、防水性や撥水性を有する生地を採用したり、身頃本体２の製作後に防水や撥水のための処理を施したりすることが可能である。防寒用として内面に起毛素材を用いたり非通気性にさせるための処理を施したりしてもよい。場合によっては運動に適するように、通気性や吸湿性、伸縮性などを備えた生地を採用することも可能である。
【００１４】
また、生地片組成や生地片結合方法などとしては、前身頃（着衣者の胸側を覆う部位）と後身頃（着衣者の背中を覆う部位）とを縫製や接着などにより脇位置などで繋ぎ合わせる構造を採用することが可能である。当然に、前身頃の正面中央部を開閉自在にして、この開閉部分を線ファスナー（一般に「ジッパ」「チャック」等の商標で呼称されるもの）や面ファスナー（一般に「マジックテープ（登録商標）」等の商標で呼称されるもの）、或いはボタンやホック、紐などによって閉じたり開いたりできるようにする構造を採用することができる。
【００１５】
身頃本体２は、この他、着衣者の上半身まわりを取り囲むような筒形構造を採用するこ
ともできるし、一枚物の生地に着衣者の頭部を通す開口を設けるだけの簡潔構造（ポンチョ形体）を採用したものとしてもよい。
これに対し、フード３は、身頃本体２の上部（着衣者の頭部を通す開口上方）に設けられて、着衣者の頭部を覆う構造を有したものとしてある。このフード３における具体的な生地素材や生地片組成、生地片結合構造などについても、身頃本体２と同様に何ら限定されるものではない。
【００１６】
例えば、フード３の生地片組成や生地片結合方法などとしては、３枚以上の生地片を組み合わせて着衣者の頭部形状に立体的に馴染むようにしたドーム形に形成してもよいし、生地片を減らして三角頭巾状に形成してもよい、といった具合である。
図例では三角頭巾状のものを示してあり、着衣者の顔面を露出させる開口上部には透明素材による庇部６を設けてある。また、フード３の内面にはメッシュ材やスクリーン生地などを張り合わせて通気性を高めたものを示してある（図４参照）。このようなメッシュ材やスクリーン生地などは、身頃本体２の内面にも張り合わせるようにすることができる。
【００１７】
本実施形態では、フード３の裾部裏面に対して、着衣者の首回り方向に沿わせるような配置で、後述する回転ガイド部５を設けている。ここにおいてフード３の裾部は、回転ガイド部５を上から覆うスカート部７として作用する。
すなわち、図１（ｃ）や図３から明らかなように、回転ガイド部５はフード３のスカート部７によって覆い隠された状態となるので、フード３に付着した雨滴などがフード３の外面から回転ガイド部５へ行き及ぶことはなく、従って回転ガイド部５を通過して身頃本体２内へ浸入するといったこともない。また、寒風が回転ガイド部５を通過して身頃本体２内へ吹き込むといったことも防止される。このような作用効果を高めるため、身頃本体２に対して、着衣者の頭部を通す開口部まわりを上方へ延ばしてネック部２ａにすることが推奨される。
【００１８】
なお、スカート部７は、前記のように作用的観点からフード３とは区別できるものであるが、物理的、外観的には、殊更フード３と区別する必要はない。従って例えば、フード３自体の裾部を下垂状に延長してスカート部７を形成してもよいし、フード３とスカート部７とを別部材として両者を結合する構造にしてもよい。
本実施形態では、フード３に対して更に緊締部材１０が設けられたものとしている。この緊締部材１０は、着衣者がフード３を頭部に被ったときに、フード３の内面により着衣者の頭部をやさしく拘束する状態（頭部への立体的な当接状態）が得られるようにして、フード３と着衣者の頭部とが相対回転しないようにする（着衣者が首を回して横方や後方を見たときなどにフード３を頭部と一体的に回転させる）ためのものである。
【００１９】
本実施形態では、図２乃至図４に示すようにフード３の左右両側部となる位置から左右それぞれへ延び出る一対の覆い片１１，１２を設け、これら覆い片１１，１２の先端部同士を着衣者の顔面中央で連結できるようにして、顔面下部を覆うマスク形にするものとしてある。
左右の覆い片１１，１２を着衣者の顔面中央で連結したり連結を解除したりする構造には、線ファスナーや面ファスナー、ボタン、ホック、紐などを採用すればよい。図例では一方（図４左方）の覆い片１１に対してその裏面側に面ファスナーの雄材１５を設け、他方（図４右方）の覆い片１２に対してその表面側に面ファスナーの雌材１６を設けた場合を示している。
【００２０】
面ファスナーの雄材１５を上下２段に分割配置することで、マスク形としたときの顔面の覆い量を上下両方の場合と下段のみとする場合との２態様から簡単に選択できるようにしてある。この選択により、着衣者の頭部に対するフード３の拘束程度を強弱調節したり、臨時的な蒸れ感の解放をしたりすることができる。
緊締部材１０の別例としては、図示は省略するが、フード３において、着衣者の顔面を露出させる開口まわりに紐を周回状に設けておく構造を例示することができる。この場合、紐の両端部を引っ張り出すように操作することにより、顔面を露出させる開口を絞って着衣者の顔面まわりにフィットさせ、これによりフード３と着衣者の頭部とが相対回転し
ないようにする。
【００２１】
回転ガイド部５は、着衣者の首回り方向に沿って身頃本体２とフード３との相対回転を可能にするところである。この回転ガイド部５は、図６及び図７に示すようにガイドレール２０とスライダー２１とを有している。
なお、身頃本体２にスライダー２１を設け、フード３にガイドレール２０を設けるようにしてもよいし、これとは反対に、身頃本体２にガイドレール２０を設け、フード３にスライダー２１を設けるようにしてもよい。本実施形態では後者とした。
【００２２】
ガイドレール２０は、可撓性素材により帯状に形成されたレールベース２２と、このレールベース２２の帯長手方向に沿って形成された帯状歯列体２３とを有している。
レールベース２２は、可撓性及び弾性復元性を生起する程度の腰のある素材により形成されている。具体的には、化繊を主とする糸で繊維構造体（編物及び織物）に形成したものをはじめとして、これを更に加熱して帯状の表裏面に軟質状態が残る程度に固化させたものや、天然繊維の糸で繊維構造体に形成した後に樹脂を含浸させたりコーティングさせたりしたものとするのが好適である。樹脂性の帯状シートによってレールベース２２を形成することもできる。
【００２３】
これに対して帯状歯列体２３は、レールベース２２に対してその帯長手方向に一定間隔を保持しつつ（離しながら）多数の歯片２４を列状に設けることで形成されている。歯片２４は、樹脂又は金属により形成することができる。
レールベース２２に対する歯片２４の固着は、歯片２４を樹脂製とする場合は超音波溶接法、加熱による溶着法、接着剤による接着法などを採用すればよい。歯片２４をアルミ合金などの金属製とする場合にはカシメ法を採用することもできる。
【００２４】
ガイドレール２０は、前記したレールベース２２を骨格とするので、着衣者の首回り方向に沿った円弧状カーブを保形できるようになっている。すなわち、レールベース２２は、天然繊維製の紐や帯等とは異なり、スライダー２１を移動させるうえで障害となるような細かな蛇行や鋭角な曲がりが生じることはなく、たとえ身頃本体２やフード３に皺やねじれなどが生じた場合でも、スライダー２１はガイドレール２０に沿って円滑に移動する状態が維持される。
【００２５】
なお、ガイドレール２０は、歯片２４の相互隣接間に形成された隙間によってレールベース２２に曲がりを生じさせることができるものである。それ故、このガイドレール２０は、首回り方向に沿った円弧状カーブを不変にさせているものではなく（特定の円弧状カーブを一義的に固化したものではなく）、着衣者の動作などに伴って身頃本体２やフード３に変形が生じたとしても、柔軟にカーブの曲がり度合いを適宜追従変化させることができる。すなわち、着衣者の動作などはスライダー２１の円滑移動にとって何ら障害とならないものであることは言うまでもない。
【００２６】
一方、スライダー２１は、可撓性素材により帯状に形成されたスライダーベース２７と、このスライダーベース２７の帯長手方向に沿って形成された帯状噛合列体２８とを有している。
スライダーベース２７は、前記したガイドレール２０のレールベース２２と同じ構成のものである。すなわち、可撓性及び弾性復元性を生起する。但し、スライダーベース２７に関しては、ガイドレール２０のレール方向に沿った長さを短く形成したり、短く形成したもの複数をレール方向に離反させて分散配置したりすることができるので、「円弧状カーブを保形」させる構成は殊更、限定されるものではない。
【００２７】
また帯状噛合列体２８は、前記したガイドレール２０の帯状歯列体２３とほぼ同じ構成のものである。相違点は、ガイドレール２０の帯状歯列体２３では多数の歯片２４を有しているのに対し、スライダー２１の帯状噛合列体２８は多数の噛合片２９を有している点にある。
この噛合片２９は、ガイドレール２０のレールベース２２を跨ぐような状態で設けられるものであり、更に各歯片２４を外嵌する形状に形成されている。そのため、噛合片２９はこれら各歯片２４に対して歯列方向に噛合と離反を繰り返しながら移動自在となる状態を維持しつつ、常に係合状態は保持するものとなっている。
【００２８】
本実施形態において、ガイドレール２０の歯片２４は、レールベース２２を跨ぐ部位を開口させたＣ形断面に形成されたものとしてある。これに対してスライダー２１の噛合片２９は、歯片２４よりも一回り大きな（同心円の関係にある）Ｃ形断面に形成されたものとしてあり、Ｃ形断面の開口位置とは反対側にスライダーベース２７を挟持する二股脚部が突設されたものとしてある。
【００２９】
また、ガイドレール２０における帯状歯列体２３の歯片ピッチと、スライダー２１における帯状噛合列体２８の噛合片ピッチとを同一にして、ガイドレール２０とスライダー２１との曲がりが同調するようにしてある。
このようにして構成される回転ガイド部５は、身頃本体２とフード３との間で着脱自在とされている。
【００３０】
本実施形態では、スライダー２１のスライダーベース２７をフード３に縫着し、ガイドレール２０のレールベース２２にはその帯長手方向に沿って同じく帯状に形成された着脱片３２を縫着した。そして、この着脱片３２と身頃本体２の首回り部位（ネック部２ａを設けた場合はネック部２ａの背面下部又はそれより下方位置とするのが好適）との間で、ホック、ボタン、面ファスナー、線ファスナーのうちいずれか一つ（図例ではホックとした）の着脱構造を設けてある。
【００３１】
このような着脱自在な構造を採用することで、身頃本体２からフード３を外したときには回転ガイド部５をも身頃本体２から取り外すことができ、回転ガイド部５が着衣者の動作の邪魔になることはなく、見栄え的にもすっきりした外観が得られるという利点に繋がる。
以上、詳説したところから明らかなように、本発明に係る回転フード付き衣類１では、着衣者が身体をひねったり頭部（首）を回したりしたときに、フード３が着衣者の頭部と確実且つ円滑に一体回転するため、着衣者の視界や動作の邪魔になることはない。
【００３２】
ところで、本発明は、前記実施形態に限定されるものではなく、実施の形態に応じて適宜変更可能である。
例えば、回転ガイド部５において、ガイドレール２０は樹脂製の線材（ナイロンなどによる断面円形の紐状材）や、金属製のコイル巻き線材などによって形成することができる。この場合、スライダー２１は、ガイドレール２０を通すことのできるリング状のものとして形成することができる。
【００３３】
回転ガイド部５において、ガイドレール２０やスライダー２１の長さは特に限定されるものではない。ただ、一般的な使用環境を想定する場合であれば、着衣者の頭部が左右へそれぞれ４５°程度動くことを可能にするものとして、ガイドレール２０についてはスライダー２１の長さを除いて２０ｃｍ前後とするのが好適である。
【符号の説明】
【００３４】
１  回転フード付き衣類
２  身頃本体
２ａ  ネック部
３  フード
５  回転ガイド部
６  庇部
７  スカート部
１０  緊締部材
１１  覆い片
１２  覆い片
１５  雄材
１６  雌材
２０  ガイドレール
２１  スライダー
２２  レールベース
２３  帯状歯列体
２４  歯片
２７  スライダーベース
２８  帯状噛合列体
２９  噛合片
３２  着脱片
４５  回転ガイド部
【図１】
2018003201.tif 000003
【図２】
2018003201.tif 000004
【図３】
2018003201.tif 000005
【図４】
2018003201.tif 000006
【図５】
2018003201.tif 000007
【図６】
2018003201.tif 000008
【図７】
2018003201.tif 000009
【手続補正書】
【提出日】平成28年8月31日(2016.8.31)
【手続補正１】
【補正対象書類名】明細書
【補正対象項目名】全文
【補正方法】変更
【補正の内容】
【発明の詳細な説明】
【技術分野】
【０００１】
本発明は、カッパやレインコート、ヤッケ、ポンチョ等の雨具をはじめとして、フード（着衣者の頭部を覆うもの）を備える種々様々な衣類において好適に採用可能な回転フード付き衣類に関する。
【背景技術】
【０００２】
従来、ゴルファー用のレインコートとして、コート本体（身頃）とフードとの上下間を、首まわり方向で豊富な伸縮性が発現されるように蛇腹状の折り畳み構造にした帯状体により、連結したものが知られている（特許文献１）。
ゴルファーがこのレインコートを着用してプレーすれば、帯状体が首回り方向で伸縮することによりコート本体とフードとの共回り（一体回転）を防ぐことができるものとされており、頭部を止めたまま身体をひねるような打球動作も無理なく行えるとされている。
【先行技術文献】
【特許文献】
【０００３】
【特許文献１】実開平７−９９２３号公報
【発明の概要】
【発明が解決しようとする課題】
【０００４】
特許文献１に記載されたレインコートでは、コート本体とフードとが共回りしないと説明されているものの、両者間が帯状体によって物理的に連結されているのだから、コート本体とフードとの間で共回りを確実に解消することは甚だ困難と言える。寧ろ、ゴルフの打球動作は俊敏で力強い身体のひねり動作を必要とし、しかもひねり回転のストロークも大きいのだから、帯状体による首回り方向の伸縮だけでは十分な追従ができないことは容易に予測できる。
【０００５】
結果として、フードがコート本体に連れて回転してしまうものと推測される。このように、特許文献１に記載されたレインコートでは、コート本体とフードとの共回りを確実に解消することはできないと言わざるを得ない。
本発明は、上記事情に鑑みてなされたものであって、着衣者が身体をひねったり頭部（首）を回したりしたときに、フードが着衣者の視界や動作の邪魔になることを確実に防止できるようにした回転フード付き衣類を提供することを目的とする。
【課題を解決するための手段】
【０００６】
前記目的を達成するために、本発明は次の手段を講じた。
即ち、本発明に係る回転フード付き衣類は、着衣者の身体を覆う身頃本体とこの身頃本体の上部に設けられて着衣者の頭部を覆うフードとを有し、前記身頃本体と前記フードとの間には着衣者の首回り方向に沿ってこれら身頃本体とフードとの相対回転を可能にする回転ガイド部が設けられており、前記回転ガイド部は、可撓性及び弾性復元性を有する樹脂製レールベースを備えることで前記首回り方向に沿った円弧状カーブを保形するガイドレールと、前記ガイドレールに摺動自在で且つ離脱不能に係合されたスライダーと、を有し、前記ガイドレール又は前記スライダーのうち一方が前記身頃本体に設けられていると共に他方が前記フードに設けられていることを特徴とする。
【０００７】
前記フードには、フード内面を着衣者の頭部に対して立体的な当接状態にさせて当該頭部との相対回転を不能にする緊締部材が設けられたものとするのがよい。
前記緊締部材は、前記フードにおいて着衣者の顔面側部位置から顔面前方へ延び出て顔面下部を覆うマスク形に形成されたものとするのがよい。
前記回転ガイド部のガイドレールは、可撓性素材により帯状に形成されたレールベースと、このレールベースの帯長手方向に沿って多数の歯片が列状に並んで支持されることで形成された帯状歯列体とを有しており、前記スライダーは、可撓性素材により帯状に形成されたスライダーベースと、このスライダーベースの帯長手方向に沿って多数の噛合片が列状に並んで支持されることで形成された帯状噛合列体とを有しており、前記スライダーの各噛合片は、前記ガイドレールの各歯片に対して歯列方向に噛合と離反を繰り返しながら移動自在に係合されているものとするのがよい。
【０００８】
前記回転ガイド部は、前記身頃本体及び／又は前記フードに対してホック、ボタン、面ファスナー、線ファスナーのうちいずれか一つの着脱構造により着脱自在とされたものとするのがよい。
前記フードには、前記回転ガイド部を首回り方向に沿って上から覆うスカート部が下垂状に設けられたものとするのが好適である。
【発明の効果】
【０００９】
本発明に係る回転フード付き衣類では、着衣者が身体をひねったり頭部（首）を回したりしたときに、フードが着衣者の視界や動作の邪魔になることを確実に防止できるようになっている。
【図面の簡単な説明】
【００１０】
【図１】本発明に係る回転フード付き衣類を示した側面図であって（ａ）は身頃本体とフードとの分離時であり（ｂ）は結合途中であり（ｃ）は結合後である。
【図２】本発明に係る回転フード付き衣類を示した背面図であってフードのスカート部をめくり上げて回転ガイド部を露出させた様子としてある。
【図３】本発明に係る回転フード付き衣類を示した背面図であってフードのスカート部を下ろした使用時の様子としてある。
【図４】フードの正面図である。
【図５】図１（ｂ）のＡ部拡大図である。
【図６】図２のＢ部拡大図である。
【図７】図６のＣ部拡大断面図である。
【発明を実施するための形態】
【００１１】
以下、本発明の実施の形態を、図面に基づき説明する。
図１乃至図７は、本発明に係る回転フード付き衣類１の第１実施形態を示している。図１（ａ）に示すように、この衣類１は身頃本体２とフード３とを有しており、これら身頃本体２とフード３との間に、この両者間を着衣者の首回り（体幹軸まわり）で相対回転自在にするための回転ガイド部５が設けられた構成である。
【００１２】
この回転ガイド部５を備える構成としているため、身頃本体２を静止したままフード３を回転させたり、これとは反対に、身頃本体２を回転させたときにもフード３を非回転の状態に維持させたりすることができる。
なお、図１（ａ）と図１（ｃ）との比較から明らかなように、本実施形態では身頃本体２に対してフード３を着脱できる構造（フード３の使用と非使用との選択ができる仕様）としてあるが、フード３を離脱不能な状態に結合した構造とすることもできる。
【００１３】
以下、各部について詳説する。
身頃本体２は、着衣者の身体（頭部を除く）のうち、少なくとも左右の両肩を含む上半身を覆う構造を有したものとされている。この身頃本体２を着用することで、風雨や雪、寒さなどから身体を保護できるようなものとすればよい。
なお、この身頃本体２における具体的な生地素材や生地片組成、生地片結合方法などは何ら限定されるものではない。例えば、生地素材には、防水性や撥水性を有する生地を採用したり、身頃本体２の製作後に防水や撥水のための処理を施したりすることが可能である。防寒用として内面に起毛素材を用いたり非通気性にさせるための処理を施したりしてもよい。場合によっては運動に適するように、通気性や吸湿性、伸縮性などを備えた生地を採用することも可能である。
【００１４】
また、生地片組成や生地片結合方法などとしては、前身頃（着衣者の胸側を覆う部位）と後身頃（着衣者の背中を覆う部位）とを縫製や接着などにより脇位置などで繋ぎ合わせる構造を採用することが可能である。当然に、前身頃の正面中央部を開閉自在にして、この開閉部分を線ファスナー（一般に「ジッパ」「チャック」等の商標で呼称されるもの）や面ファスナー（一般に「マジックテープ（登録商標）」等の商標で呼称されるもの）、或いはボタンやホック、紐などによって閉じたり開いたりできるようにする構造を採用することができる。
【００１５】
身頃本体２は、この他、着衣者の上半身まわりを取り囲むような筒形構造を採用することもできるし、一枚物の生地に着衣者の頭部を通す開口を設けるだけの簡潔構造（ポンチョ形体）を採用したものとしてもよい。
これに対し、フード３は、身頃本体２の上部（着衣者の頭部を通す開口上方）に設けられて、着衣者の頭部を覆う構造を有したものとしてある。このフード３における具体的な生地素材や生地片組成、生地片結合構造などについても、身頃本体２と同様に何ら限定されるものではない。
【００１６】
例えば、フード３の生地片組成や生地片結合方法などとしては、３枚以上の生地片を組み合わせて着衣者の頭部形状に立体的に馴染むようにしたドーム形に形成してもよいし、生地片を減らして三角頭巾状に形成してもよい、といった具合である。
図例では三角頭巾状のものを示してあり、着衣者の顔面を露出させる開口上部には透明素材による庇部６を設けてある。また、フード３の内面にはメッシュ材やスクリーン生地などを張り合わせて通気性を高めたものを示してある（図４参照）。このようなメッシュ材やスクリーン生地などは、身頃本体２の内面にも張り合わせるようにすることができる。
【００１７】
本実施形態では、フード３の裾部裏面に対して、着衣者の首回り方向に沿わせるような配置で、後述する回転ガイド部５を設けている。ここにおいてフード３の裾部は、回転ガイド部５を上から覆うスカート部７として作用する。
すなわち、図１（ｃ）や図３から明らかなように、回転ガイド部５はフード３のスカート部７によって覆い隠された状態となるので、フード３に付着した雨滴などがフード３の外面から回転ガイド部５へ行き及ぶことはなく、従って回転ガイド部５を通過して身頃本体２内へ浸入するといったこともない。また、寒風が回転ガイド部５を通過して身頃本体２内へ吹き込むといったことも防止される。このような作用効果を高めるため、身頃本体２に対して、着衣者の頭部を通す開口部まわりを上方へ延ばしてネック部２ａにすることが推奨される。
【００１８】
なお、スカート部７は、前記のように作用的観点からフード３とは区別できるものであるが、物理的、外観的には、殊更フード３と区別する必要はない。従って例えば、フード３自体の裾部を下垂状に延長してスカート部７を形成してもよいし、フード３とスカート部７とを別部材として両者を結合する構造にしてもよい。
本実施形態では、フード３に対して更に緊締部材１０が設けられたものとしている。この緊締部材１０は、着衣者がフード３を頭部に被ったときに、フード３の内面により着衣者の頭部をやさしく拘束する状態（頭部への立体的な当接状態）が得られるようにして、フード３と着衣者の頭部とが相対回転しないようにする（着衣者が首を回して横方や後方を見たときなどにフード３を頭部と一体的に回転させる）ためのものである。
【００１９】
本実施形態では、図２乃至図４に示すようにフード３の左右両側部となる位置から左右それぞれへ延び出る一対の覆い片１１，１２を設け、これら覆い片１１，１２の先端部同士を着衣者の顔面中央で連結できるようにして、顔面下部を覆うマスク形にするものとしてある。
左右の覆い片１１，１２を着衣者の顔面中央で連結したり連結を解除したりする構造には、線ファスナーや面ファスナー、ボタン、ホック、紐などを採用すればよい。図例では一方（図４左方）の覆い片１１に対してその裏面側に面ファスナーの雄材１５を設け、他方（図４右方）の覆い片１２に対してその表面側に面ファスナーの雌材１６を設けた場合を示している。
【００２０】
面ファスナーの雄材１５を上下２段に分割配置することで、マスク形としたときの顔面の覆い量を上下両方の場合と下段のみとする場合との２態様から簡単に選択できるようにしてある。この選択により、着衣者の頭部に対するフード３の拘束程度を強弱調節したり、臨時的な蒸れ感の解放をしたりすることができる。
緊締部材１０の別例としては、図示は省略するが、フード３において、着衣者の顔面を露出させる開口まわりに紐を周回状に設けておく構造を例示することができる。この場合、紐の両端部を引っ張り出すように操作することにより、顔面を露出させる開口を絞って着衣者の顔面まわりにフィットさせ、これによりフード３と着衣者の頭部とが相対回転しないようにする。
【００２１】
回転ガイド部５は、着衣者の首回り方向に沿って身頃本体２とフード３との相対回転を可能にするところである。この回転ガイド部５は、図６及び図７に示すようにガイドレール２０とスライダー２１とを有している。
なお、身頃本体２にスライダー２１を設け、フード３にガイドレール２０を設けるようにしてもよいし、これとは反対に、身頃本体２にガイドレール２０を設け、フード３にスライダー２１を設けるようにしてもよい。本実施形態では後者とした。
【００２２】
ガイドレール２０は、可撓性素材により帯状に形成されたレールベース２２と、このレールベース２２の帯長手方向に沿って形成された帯状歯列体２３とを有している。
レールベース２２は、可撓性及び弾性復元性を生起する程度の腰のある素材により形成されている。具体的には、化繊を主とする糸で繊維構造体（編物及び織物）に形成したものをはじめとして、これを更に加熱して帯状の表裏面に軟質状態が残る程度に固化させたものや、天然繊維の糸で繊維構造体に形成した後に樹脂を含浸させたりコーティングさせたりしたものとするのが好適である。樹脂性の帯状シートによってレールベース２２を形成することもできる。
【００２３】
これに対して帯状歯列体２３は、レールベース２２に対してその帯長手方向に一定間隔を保持しつつ（離しながら）多数の歯片２４を列状に設けることで形成されている。歯片２４は、樹脂又は金属により形成することができる。
レールベース２２に対する歯片２４の固着は、歯片２４を樹脂製とする場合は超音波溶接法、加熱による溶着法、接着剤による接着法などを採用すればよい。歯片２４をアルミ合金などの金属製とする場合にはカシメ法を採用することもできる。
【００２４】
ガイドレール２０は、前記したレールベース２２を骨格とするので、着衣者の首回り方向に沿った円弧状カーブを保形できるようになっている。すなわち、レールベース２２は、天然繊維製の紐や帯等とは異なり、スライダー２１を移動させるうえで障害となるような細かな蛇行や鋭角な曲がりが生じることはなく、たとえ身頃本体２やフード３に皺やねじれなどが生じた場合でも、スライダー２１はガイドレール２０に沿って円滑に移動する状態が維持される。
【００２５】
なお、ガイドレール２０は、歯片２４の相互隣接間に形成された隙間によってレールベース２２に曲がりを生じさせることができるものである。それ故、このガイドレール２０は、首回り方向に沿った円弧状カーブを不変にさせているものではなく（特定の円弧状カーブを一義的に固化したものではなく）、着衣者の動作などに伴って身頃本体２やフード３に変形が生じたとしても、柔軟にカーブの曲がり度合いを適宜追従変化させることができる。すなわち、着衣者の動作などはスライダー２１の円滑移動にとって何ら障害とならないものであることは言うまでもない。
【００２６】
一方、スライダー２１は、可撓性素材により帯状に形成されたスライダーベース２７と、このスライダーベース２７の帯長手方向に沿って形成された帯状噛合列体２８とを有している。
スライダーベース２７は、前記したガイドレール２０のレールベース２２と同じ構成のものである。すなわち、可撓性及び弾性復元性を生起する。但し、スライダーベース２７に関しては、ガイドレール２０のレール方向に沿った長さを短く形成したり、短く形成したもの複数をレール方向に離反させて分散配置したりすることができるので、「円弧状カーブを保形」させる構成は殊更、限定されるものではない。
【００２７】
また帯状噛合列体２８は、前記したガイドレール２０の帯状歯列体２３とほぼ同じ構成のものである。相違点は、ガイドレール２０の帯状歯列体２３では多数の歯片２４を有しているのに対し、スライダー２１の帯状噛合列体２８は多数の噛合片２９を有している点にある。
この噛合片２９は、ガイドレール２０のレールベース２２を跨ぐような状態で設けられるものであり、更に各歯片２４を外嵌する形状に形成されている。そのため、噛合片２９はこれら各歯片２４に対して歯列方向に噛合と離反を繰り返しながら移動自在となる状態を維持しつつ、常に係合状態は保持するものとなっている。
【００２８】
本実施形態において、ガイドレール２０の歯片２４は、レールベース２２を跨ぐ部位を開口させたＣ形断面に形成されたものとしてある。これに対してスライダー２１の噛合片２９は、歯片２４よりも一回り大きな（同心円の関係にある）Ｃ形断面に形成されたものとしてあり、Ｃ形断面の開口位置とは反対側にスライダーベース２７を挟持する二股脚部が突設されたものとしてある。
【００２９】
また、ガイドレール２０における帯状歯列体２３の歯片ピッチと、スライダー２１における帯状噛合列体２８の噛合片ピッチとを同一にして、ガイドレール２０とスライダー２１との曲がりが同調するようにしてある。
このようにして構成される回転ガイド部５は、身頃本体２とフード３との間で着脱自在とされている。
【００３０】
本実施形態では、スライダー２１のスライダーベース２７をフード３に縫着し、ガイドレール２０のレールベース２２にはその帯長手方向に沿って同じく帯状に形成された着脱片３２を縫着した。そして、この着脱片３２と身頃本体２の首回り部位（ネック部２ａを設けた場合はネック部２ａの背面下部又はそれより下方位置とするのが好適）との間で、ホック、ボタン、面ファスナー、線ファスナーのうちいずれか一つ（図例ではホックとした）の着脱構造を設けてある。
【００３１】
このような着脱自在な構造を採用することで、身頃本体２からフード３を外したときには回転ガイド部５をも身頃本体２から取り外すことができ、回転ガイド部５が着衣者の動作の邪魔になることはなく、見栄え的にもすっきりした外観が得られるという利点に繋がる。
以上、詳説したところから明らかなように、本発明に係る回転フード付き衣類１では、着衣者が身体をひねったり頭部（首）を回したりしたときに、フード３が着衣者の頭部と確実且つ円滑に一体回転するため、着衣者の視界や動作の邪魔になることはない。
【００３２】
ところで、本発明は、前記実施形態に限定されるものではなく、実施の形態に応じて適宜変更可能である。
例えば、回転ガイド部５において、ガイドレール２０は樹脂製の線材（ナイロンなどによる断面円形の紐状材）や、金属製のコイル巻き線材などによって形成することができる。この場合、スライダー２１は、ガイドレール２０を通すことのできるリング状のものとして形成することができる。
【００３３】
回転ガイド部５において、ガイドレール２０やスライダー２１の長さは特に限定されるものではない。ただ、一般的な使用環境を想定する場合であれば、着衣者の頭部が左右へそれぞれ４５°程度動くことを可能にするものとして、ガイドレール２０についてはスライダー２１の長さを除いて２０ｃｍ前後とするのが好適である。
【符号の説明】
【００３４】
１  回転フード付き衣類
２  身頃本体
２ａ  ネック部
３  フード
５  回転ガイド部
６  庇部
７  スカート部
１０  緊締部材
１１  覆い片
１２  覆い片
１５  雄材
１６  雌材
２０  ガイドレール
２１  スライダー
２２  レールベース
２３  帯状歯列体
２４  歯片
２７  スライダーベース
２８  帯状噛合列体
２９  噛合片
３２  着脱片
４５  回転ガイド部
【手続補正２】
【補正対象書類名】特許請求の範囲
【補正対象項目名】全文
【補正方法】変更
【補正の内容】
【特許請求の範囲】
【請求項１】
着衣者の身体を覆う身頃本体とこの身頃本体の上部に設けられて着衣者の頭部を覆うフードとを有し、
前記身頃本体と前記フードとの間には着衣者の首回り方向に沿ってこれら身頃本体とフードとの相対回転を可能にする回転ガイド部が設けられており、
前記回転ガイド部は、
可撓性及び弾性復元性を有する樹脂製レールベースを備えることで前記首回り方向に沿った円弧状カーブを保形するガイドレールと、
前記ガイドレールに摺動自在で且つ離脱不能に係合されたスライダーと、を有し、
前記ガイドレール又は前記スライダーのうち一方が前記身頃本体に設けられていると共に他方が前記フードに設けられている
ことを特徴とする回転フード付き衣類。
【請求項２】
前記フードには、フード内面を着衣者の頭部に対して立体的な当接状態にさせて当該頭部との相対回転を不能にする緊締部材が設けられていることを特徴とする請求項１記載の回転フード付き衣類。
【請求項３】
前記緊締部材は、前記フードにおいて着衣者の顔面側部位置から顔面前方へ延び出て顔面下部を覆うマスク形に形成されていることを特徴とする請求項２記載の回転フード付き衣類。
【請求項４】
前記回転ガイド部のガイドレールは、可撓性素材により帯状に形成されたレールベースと、このレールベースの帯長手方向に沿って多数の歯片が列状に並んで支持されることで形成された帯状歯列体とを有しており、
前記スライダーは、可撓性素材により帯状に形成されたスライダーベースと、このスライダーベースの帯長手方向に沿って多数の噛合片が列状に並んで支持されることで形成された帯状噛合列体とを有しており、
前記スライダーの各噛合片は、前記ガイドレールの各歯片に対して歯列方向に噛合と離反を繰り返しながら移動自在に係合されている
ことを特徴とする請求項１乃至請求項３のいずれか１項に記載の回転フード付き衣類。
【請求項５】
前記回転ガイド部は、前記身頃本体及び／又は前記フードに対してホック、ボタン、面ファスナー、線ファスナーのうちいずれか一つの着脱構造により着脱自在とされていることを特徴とする請求項１乃至請求項４のいずれか１項に記載の回転フード付き衣類。
【請求項６】
前記フードには、前記回転ガイド部を首回り方向に沿って上から覆うスカート部が下垂状に設けられていることを特徴とする請求項１乃至請求項５のいずれか１項に記載の回転フード付き衣類。
【手続補正書】
【提出日】平成28年11月22日(2016.11.22)
【手続補正１】
【補正対象書類名】明細書
【補正対象項目名】全文
【補正方法】変更
【補正の内容】
【発明の詳細な説明】
【技術分野】
【０００１】
本発明は、カッパやレインコート、ヤッケ、ポンチョ等の雨具をはじめとして、フード（着衣者の頭部を覆うもの）を備える種々様々な衣類において好適に採用可能な回転フード付き衣類に関する。
【背景技術】
【０００２】
従来、ゴルファー用のレインコートとして、コート本体（身頃）とフードとの上下間を、首まわり方向で豊富な伸縮性が発現されるように蛇腹状の折り畳み構造にした帯状体により、連結したものが知られている（特許文献１）。
ゴルファーがこのレインコートを着用してプレーすれば、帯状体が首回り方向で伸縮することによりコート本体とフードとの共回り（一体回転）を防ぐことができるものとされており、頭部を止めたまま身体をひねるような打球動作も無理なく行えるとされている。
【先行技術文献】
【特許文献】
【０００３】
【特許文献１】実開平７−９９２３号公報
【発明の概要】
【発明が解決しようとする課題】
【０００４】
特許文献１に記載されたレインコートでは、コート本体とフードとが共回りしないと説明されているものの、両者間が帯状体によって物理的に連結されているのだから、コート本体とフードとの間で共回りを確実に解消することは甚だ困難と言える。寧ろ、ゴルフの打球動作は俊敏で力強い身体のひねり動作を必要とし、しかもひねり回転のストロークも大きいのだから、帯状体による首回り方向の伸縮だけでは十分な追従ができないことは容易に予測できる。
【０００５】
結果として、フードがコート本体に連れて回転してしまうものと推測される。このように、特許文献１に記載されたレインコートでは、コート本体とフードとの共回りを確実に解消することはできないと言わざるを得ない。
本発明は、上記事情に鑑みてなされたものであって、着衣者が身体をひねったり頭部（首）を回したりしたときに、フードが着衣者の視界や動作の邪魔になることを確実に防止できるようにした回転フード付き衣類を提供することを目的とする。
【課題を解決するための手段】
【０００６】
前記目的を達成するために、本発明は次の手段を講じた。
即ち、本発明に係る回転フード付き衣類は、着衣者の身体を覆う身頃本体とこの身頃本体の上部に設けられて着衣者の頭部を覆うフードとを有し、前記身頃本体と前記フードとの間には着衣者の首回り方向に沿ってこれら身頃本体とフードとの相対回転を可能にする回転ガイド部が設けられており、前記回転ガイド部は、前記首回り方向に沿った円弧状カーブを保形するガイドレールと、前記ガイドレールに摺動自在で且つ離脱不能に係合されたスライダーと、を有し、前記ガイドレール又は前記スライダーのうち一方が前記身頃本体に設けられていると共に他方が前記フードに設けられたものであって、前記ガイドレールは、可撓性素材により帯状に形成されたレールベースと、このレールベースの帯長手方向に沿って多数の歯片が列状に並んで支持されることで形成された帯状歯列体とを有しており、前記スライダーは、可撓性素材により帯状に形成されたスライダーベースと、このスライダーベースの帯長手方向に沿って多数の噛合片が列状に並んで支持されることで形成された帯状噛合列体とを有しており、前記スライダーの各噛合片は、前記ガイドレールの各歯片に対して歯列方向に噛合と離反を繰り返しながら移動自在に係合されていることを特徴とする。
【０００７】
前記フードには、フード内面を着衣者の頭部に対して立体的な当接状態にさせて当該頭部との相対回転を不能にする緊締部材が設けられたものとするのがよい。
前記緊締部材は、前記フードにおいて着衣者の顔面側部位置から顔面前方へ延び出て顔面下部を覆うマスク形に形成されたものとするのがよい。
前記回転ガイド部は、前記身頃本体及び／又は前記フードに対してホック、ボタン、面ファスナー、線ファスナーのうちいずれか一つの着脱構造により着脱自在とされたものとするのがよい。
【０００８】
前記フードには、前記回転ガイド部を首回り方向に沿って上から覆うスカート部が下垂状に設けられたものとするのが好適である。
【発明の効果】
【０００９】
本発明に係る回転フード付き衣類では、着衣者が身体をひねったり頭部（首）を回したりしたときに、フードが着衣者の視界や動作の邪魔になることを確実に防止できるようになっている。
【図面の簡単な説明】
【００１０】
【図１】本発明に係る回転フード付き衣類を示した側面図であって（ａ）は身頃本体とフードとの分離時であり（ｂ）は結合途中であり（ｃ）は結合後である。
【図２】本発明に係る回転フード付き衣類を示した背面図であってフードのスカート部をめくり上げて回転ガイド部を露出させた様子としてある。
【図３】本発明に係る回転フード付き衣類を示した背面図であってフードのスカート部を下ろした使用時の様子としてある。
【図４】フードの正面図である。
【図５】図１（ｂ）のＡ部拡大図である。
【図６】図２のＢ部拡大図である。
【図７】図６のＣ部拡大断面図である。
【発明を実施するための形態】
【００１１】
以下、本発明の実施の形態を、図面に基づき説明する。
図１乃至図７は、本発明に係る回転フード付き衣類１の第１実施形態を示している。図１（ａ）に示すように、この衣類１は身頃本体２とフード３とを有しており、これら身頃本体２とフード３との間に、この両者間を着衣者の首回り（体幹軸まわり）で相対回転自在にするための回転ガイド部５が設けられた構成である。
【００１２】
この回転ガイド部５を備える構成としているため、身頃本体２を静止したままフード３を回転させたり、これとは反対に、身頃本体２を回転させたときにもフード３を非回転の状態に維持させたりすることができる。
なお、図１（ａ）と図１（ｃ）との比較から明らかなように、本実施形態では身頃本体２に対してフード３を着脱できる構造（フード３の使用と非使用との選択ができる仕様）としてあるが、フード３を離脱不能な状態に結合した構造とすることもできる。
【００１３】
以下、各部について詳説する。
身頃本体２は、着衣者の身体（頭部を除く）のうち、少なくとも左右の両肩を含む上半身を覆う構造を有したものとされている。この身頃本体２を着用することで、風雨や雪、寒さなどから身体を保護できるようなものとすればよい。
なお、この身頃本体２における具体的な生地素材や生地片組成、生地片結合方法などは何ら限定されるものではない。例えば、生地素材には、防水性や撥水性を有する生地を採用したり、身頃本体２の製作後に防水や撥水のための処理を施したりすることが可能である。防寒用として内面に起毛素材を用いたり非通気性にさせるための処理を施したりしてもよい。場合によっては運動に適するように、通気性や吸湿性、伸縮性などを備えた生地を採用することも可能である。
【００１４】
また、生地片組成や生地片結合方法などとしては、前身頃（着衣者の胸側を覆う部位）と後身頃（着衣者の背中を覆う部位）とを縫製や接着などにより脇位置などで繋ぎ合わせる構造を採用することが可能である。当然に、前身頃の正面中央部を開閉自在にして、この開閉部分を線ファスナー（一般に「ジッパ」「チャック」等の商標で呼称されるもの）や面ファスナー（一般に「マジックテープ（登録商標）」等の商標で呼称されるもの）、或いはボタンやホック、紐などによって閉じたり開いたりできるようにする構造を採用することができる。
【００１５】
身頃本体２は、この他、着衣者の上半身まわりを取り囲むような筒形構造を採用することもできるし、一枚物の生地に着衣者の頭部を通す開口を設けるだけの簡潔構造（ポンチョ形体）を採用したものとしてもよい。
これに対し、フード３は、身頃本体２の上部（着衣者の頭部を通す開口上方）に設けられて、着衣者の頭部を覆う構造を有したものとしてある。このフード３における具体的な生地素材や生地片組成、生地片結合構造などについても、身頃本体２と同様に何ら限定されるものではない。
【００１６】
例えば、フード３の生地片組成や生地片結合方法などとしては、３枚以上の生地片を組み合わせて着衣者の頭部形状に立体的に馴染むようにしたドーム形に形成してもよいし、生地片を減らして三角頭巾状に形成してもよい、といった具合である。
図例では三角頭巾状のものを示してあり、着衣者の顔面を露出させる開口上部には透明素材による庇部６を設けてある。また、フード３の内面にはメッシュ材やスクリーン生地などを張り合わせて通気性を高めたものを示してある（図４参照）。このようなメッシュ材やスクリーン生地などは、身頃本体２の内面にも張り合わせるようにすることができる。
【００１７】
本実施形態では、フード３の裾部裏面に対して、着衣者の首回り方向に沿わせるような配置で、後述する回転ガイド部５を設けている。ここにおいてフード３の裾部は、回転ガイド部５を上から覆うスカート部７として作用する。
すなわち、図１（ｃ）や図３から明らかなように、回転ガイド部５はフード３のスカート部７によって覆い隠された状態となるので、フード３に付着した雨滴などがフード３の外面から回転ガイド部５へ行き及ぶことはなく、従って回転ガイド部５を通過して身頃本体２内へ浸入するといったこともない。また、寒風が回転ガイド部５を通過して身頃本体２内へ吹き込むといったことも防止される。このような作用効果を高めるため、身頃本体２に対して、着衣者の頭部を通す開口部まわりを上方へ延ばしてネック部２ａにすることが推奨される。
【００１８】
なお、スカート部７は、前記のように作用的観点からフード３とは区別できるものであるが、物理的、外観的には、殊更フード３と区別する必要はない。従って例えば、フード３自体の裾部を下垂状に延長してスカート部７を形成してもよいし、フード３とスカート部７とを別部材として両者を結合する構造にしてもよい。
本実施形態では、フード３に対して更に緊締部材１０が設けられたものとしている。この緊締部材１０は、着衣者がフード３を頭部に被ったときに、フード３の内面により着衣者の頭部をやさしく拘束する状態（頭部への立体的な当接状態）が得られるようにして、フード３と着衣者の頭部とが相対回転しないようにする（着衣者が首を回して横方や後方を見たときなどにフード３を頭部と一体的に回転させる）ためのものである。
【００１９】
本実施形態では、図２乃至図４に示すようにフード３の左右両側部となる位置から左右それぞれへ延び出る一対の覆い片１１，１２を設け、これら覆い片１１，１２の先端部同士を着衣者の顔面中央で連結できるようにして、顔面下部を覆うマスク形にするものとしてある。
左右の覆い片１１，１２を着衣者の顔面中央で連結したり連結を解除したりする構造には、線ファスナーや面ファスナー、ボタン、ホック、紐などを採用すればよい。図例では一方（図４左方）の覆い片１１に対してその裏面側に面ファスナーの雄材１５を設け、他方（図４右方）の覆い片１２に対してその表面側に面ファスナーの雌材１６を設けた場合を示している。
【００２０】
面ファスナーの雄材１５を上下２段に分割配置することで、マスク形としたときの顔面の覆い量を上下両方の場合と下段のみとする場合との２態様から簡単に選択できるようにしてある。この選択により、着衣者の頭部に対するフード３の拘束程度を強弱調節したり、臨時的な蒸れ感の解放をしたりすることができる。
緊締部材１０の別例としては、図示は省略するが、フード３において、着衣者の顔面を露出させる開口まわりに紐を周回状に設けておく構造を例示することができる。この場合、紐の両端部を引っ張り出すように操作することにより、顔面を露出させる開口を絞って着衣者の顔面まわりにフィットさせ、これによりフード３と着衣者の頭部とが相対回転しないようにする。
【００２１】
回転ガイド部５は、着衣者の首回り方向に沿って身頃本体２とフード３との相対回転を可能にするところである。この回転ガイド部５は、図６及び図７に示すようにガイドレール２０とスライダー２１とを有している。
なお、身頃本体２にスライダー２１を設け、フード３にガイドレール２０を設けるようにしてもよいし、これとは反対に、身頃本体２にガイドレール２０を設け、フード３にスライダー２１を設けるようにしてもよい。本実施形態では後者とした。
【００２２】
ガイドレール２０は、可撓性素材により帯状に形成されたレールベース２２と、このレールベース２２の帯長手方向に沿って形成された帯状歯列体２３とを有している。
レールベース２２は、可撓性及び弾性復元性を生起する程度の腰のある素材により形成されている。具体的には、化繊を主とする糸で繊維構造体（編物及び織物）に形成したものをはじめとして、これを更に加熱して帯状の表裏面に軟質状態が残る程度に固化させたものや、天然繊維の糸で繊維構造体に形成した後に樹脂を含浸させたりコーティングさせたりしたものとするのが好適である。樹脂性の帯状シートによってレールベース２２を形成することもできる。
【００２３】
これに対して帯状歯列体２３は、レールベース２２に対してその帯長手方向に一定間隔を保持しつつ（離しながら）多数の歯片２４を列状に設けることで形成されている。歯片２４は、樹脂又は金属により形成することができる。
レールベース２２に対する歯片２４の固着は、歯片２４を樹脂製とする場合は超音波溶接法、加熱による溶着法、接着剤による接着法などを採用すればよい。歯片２４をアルミ合金などの金属製とする場合にはカシメ法を採用することもできる。
【００２４】
ガイドレール２０は、前記したレールベース２２を骨格とするので、着衣者の首回り方向に沿った円弧状カーブを保形できるようになっている。すなわち、レールベース２２は、天然繊維製の紐や帯等とは異なり、スライダー２１を移動させるうえで障害となるような細かな蛇行や鋭角な曲がりが生じることはなく、たとえ身頃本体２やフード３に皺やねじれなどが生じた場合でも、スライダー２１はガイドレール２０に沿って円滑に移動する状態が維持される。
【００２５】
なお、ガイドレール２０は、歯片２４の相互隣接間に形成された隙間によってレールベース２２に曲がりを生じさせることができるものである。それ故、このガイドレール２０は、首回り方向に沿った円弧状カーブを不変にさせているものではなく（特定の円弧状カーブを一義的に固化したものではなく）、着衣者の動作などに伴って身頃本体２やフード３に変形が生じたとしても、柔軟にカーブの曲がり度合いを適宜追従変化させることができる。すなわち、着衣者の動作などはスライダー２１の円滑移動にとって何ら障害とならないものであることは言うまでもない。
【００２６】
一方、スライダー２１は、可撓性素材により帯状に形成されたスライダーベース２７と、このスライダーベース２７の帯長手方向に沿って形成された帯状噛合列体２８とを有している。
スライダーベース２７は、前記したガイドレール２０のレールベース２２と同じ構成のものである。すなわち、可撓性及び弾性復元性を生起する。但し、スライダーベース２７に関しては、ガイドレール２０のレール方向に沿った長さを短く形成したり、短く形成したもの複数をレール方向に離反させて分散配置したりすることができるので、「円弧状カーブを保形」させる構成は殊更、限定されるものではない。
【００２７】
また帯状噛合列体２８は、前記したガイドレール２０の帯状歯列体２３とほぼ同じ構成のものである。相違点は、ガイドレール２０の帯状歯列体２３では多数の歯片２４を有しているのに対し、スライダー２１の帯状噛合列体２８は多数の噛合片２９を有している点にある。
この噛合片２９は、ガイドレール２０のレールベース２２を跨ぐような状態で設けられるものであり、更に各歯片２４を外嵌する形状に形成されている。そのため、噛合片２９はこれら各歯片２４に対して歯列方向に噛合と離反を繰り返しながら移動自在となる状態を維持しつつ、常に係合状態は保持するものとなっている。
【００２８】
本実施形態において、ガイドレール２０の歯片２４は、レールベース２２を跨ぐ部位を開口させたＣ形断面に形成されたものとしてある。これに対してスライダー２１の噛合片２９は、歯片２４よりも一回り大きな（同心円の関係にある）Ｃ形断面に形成されたものとしてあり、Ｃ形断面の開口位置とは反対側にスライダーベース２７を挟持する二股脚部が突設されたものとしてある。
【００２９】
また、ガイドレール２０における帯状歯列体２３の歯片ピッチと、スライダー２１における帯状噛合列体２８の噛合片ピッチとを同一にして、ガイドレール２０とスライダー２１との曲がりが同調するようにしてある。
このようにして構成される回転ガイド部５は、身頃本体２とフード３との間で着脱自在とされている。
【００３０】
本実施形態では、スライダー２１のスライダーベース２７をフード３に縫着し、ガイドレール２０のレールベース２２にはその帯長手方向に沿って同じく帯状に形成された着脱片３２を縫着した。そして、この着脱片３２と身頃本体２の首回り部位（ネック部２ａを設けた場合はネック部２ａの背面下部又はそれより下方位置とするのが好適）との間で、ホック、ボタン、面ファスナー、線ファスナーのうちいずれか一つ（図例ではホックとした）の着脱構造を設けてある。
【００３１】
このような着脱自在な構造を採用することで、身頃本体２からフード３を外したときには回転ガイド部５をも身頃本体２から取り外すことができ、回転ガイド部５が着衣者の動作の邪魔になることはなく、見栄え的にもすっきりした外観が得られるという利点に繋がる。
以上、詳説したところから明らかなように、本発明に係る回転フード付き衣類１では、着衣者が身体をひねったり頭部（首）を回したりしたときに、フード３が着衣者の頭部と確実且つ円滑に一体回転するため、着衣者の視界や動作の邪魔になることはない。
【００３２】
ところで、本発明は、前記実施形態に限定されるものではなく、実施の形態に応じて適宜変更可能である。
例えば、回転ガイド部５において、ガイドレール２０は樹脂製の線材（ナイロンなどによる断面円形の紐状材）や、金属製のコイル巻き線材などによって形成することができる。この場合、スライダー２１は、ガイドレール２０を通すことのできるリング状のものとして形成することができる。
【００３３】
回転ガイド部５において、ガイドレール２０やスライダー２１の長さは特に限定されるものではない。ただ、一般的な使用環境を想定する場合であれば、着衣者の頭部が左右へそれぞれ４５°程度動くことを可能にするものとして、ガイドレール２０についてはスライダー２１の長さを除いて２０ｃｍ前後とするのが好適である。
【符号の説明】
【００３４】
１  回転フード付き衣類
２  身頃本体
２ａ  ネック部
３  フード
５  回転ガイド部
６  庇部
７  スカート部
１０  緊締部材
１１  覆い片
１２  覆い片
１５  雄材
１６  雌材
２０  ガイドレール
２１  スライダー
２２  レールベース
２３  帯状歯列体
２４  歯片
２７  スライダーベース
２８  帯状噛合列体
２９  噛合片
３２  着脱片
４５  回転ガイド部
【手続補正２】
【補正対象書類名】特許請求の範囲
【補正対象項目名】全文
【補正方法】変更
【補正の内容】
【特許請求の範囲】
【請求項１】
着衣者の身体を覆う身頃本体とこの身頃本体の上部に設けられて着衣者の頭部を覆うフードとを有し、
前記身頃本体と前記フードとの間には着衣者の首回り方向に沿ってこれら身頃本体とフードとの相対回転を可能にする回転ガイド部が設けられており、
前記回転ガイド部は、
前記首回り方向に沿った円弧状カーブを保形するガイドレールと、
前記ガイドレールに摺動自在で且つ離脱不能に係合されたスライダーと、を有し、
前記ガイドレール又は前記スライダーのうち一方が前記身頃本体に設けられていると共に他方が前記フードに設けられたものであって、
前記ガイドレールは、可撓性素材により帯状に形成されたレールベースと、このレールベースの帯長手方向に沿って多数の歯片が列状に並んで支持されることで形成された帯状歯列体とを有しており、
前記スライダーは、可撓性素材により帯状に形成されたスライダーベースと、このスライダーベースの帯長手方向に沿って多数の噛合片が列状に並んで支持されることで形成された帯状噛合列体とを有しており、
前記スライダーの各噛合片は、前記ガイドレールの各歯片に対して歯列方向に噛合と離反を繰り返しながら移動自在に係合されている
ことを特徴とする回転フード付き衣類。
【請求項２】
前記フードには、フード内面を着衣者の頭部に対して立体的な当接状態にさせて当該頭部との相対回転を不能にする緊締部材が設けられていることを特徴とする請求項１記載の回転フード付き衣類。
【請求項３】
前記緊締部材は、前記フードにおいて着衣者の顔面側部位置から顔面前方へ延び出て顔面下部を覆うマスク形に形成されていることを特徴とする請求項２記載の回転フード付き衣類。
【請求項４】
前記回転ガイド部は、前記身頃本体及び／又は前記フードに対してホック、ボタン、面ファスナー、線ファスナーのうちいずれか一つの着脱構造により着脱自在とされていることを特徴とする請求項１乃至請求項３のいずれか１項に記載の回転フード付き衣類。
【請求項５】
前記フードには、前記回転ガイド部を首回り方向に沿って上から覆うスカート部が下垂状に設けられていることを特徴とする請求項１乃至請求項４のいずれか１項に記載の回転フード付き衣類。